(57)【要約】  本開示は、着用者の腰の周りに着用されるように意図された、おむつ、パンツ型おむつ、生理用パンツ、または失禁用衣服などの使い捨て吸収性物品に関する。吸収性物品は、前部分と、後部分と、それらの間の股部分とを有するシャーシを備える。吸収性物品は、シャーシの後部分および/または前部分に取り付けられる1つまたは複数の留め付けタブを任意選択でさらに備える。吸収性物品は、着用者を向く側と衣服を向く側とを有する。吸収性物品は、少なくとも股部分においてシャーシに固定された吸収性芯材をさらに備える。吸収性物品には、衣服を向く側において、前部分、後部分、および/または1つもしくは複数の留め付けタブのうちの少なくとも1つにおけるキャリア材料にQRコードが設けられる。キャリア材料は、ガーレー剛性試験方法TAPPI T 543 om-05、Bending resistance of paper(ガーレー式試験装置)に従って測定されるとき、8mgf以上のガーレー剛性を有する。
2020533089.tif 000002
【特許請求の範囲】
【請求項１】
着用者の腰の周りに着用されるように意図された、おむつ、パンツ型おむつ、生理用パンツ、または失禁用衣服などの使い捨て吸収性物品(1)であって、
前記吸収性物品(1)は、前部分(3)と、後部分(4)と、前記前部分と前記後部分との間の股部分(5)とを有するシャーシ(2)を備え、
任意選択で、1つまたは複数の留め付けタブ(10)が前記シャーシ(2)の前記後部分(4)および/または前記前部分(3)に取り付けられ、
前記吸収性物品は、着用者を向く側と衣服を向く側とを有し、
前記物品は、少なくとも前記股部分(5)において前記シャーシ(2)に固定された吸収性芯材をさらに備え、
QRコードが、衣服を向く側と、前記前部分(3)、前記後部分(4)、および/または1つもしくは複数の前記留め付けタブ(10)のうちの少なくとも1つにおけるキャリア材料とに設けられ、
前記キャリア材料は、ガーレー剛性試験方法TAPPI T 543 om-05、Bending resistance of paper(ガーレー式試験装置)に従って測定されるとき、8mgf以上のガーレー剛性を有することを特徴とする吸収性物品(1)。
【請求項２】
前記キャリア材料は10mgf〜1000mgfのガーレー剛性を有することを特徴とする、請求項1に記載の使い捨て吸収性物品(1)。
【請求項３】
前記QRコード(12)は印刷されたQRコード(12)であることを特徴とする、請求項1または2に記載の使い捨て吸収性物品(1)。
【請求項４】
前記キャリア材料は、不織材料、編物材料、織物材料、膜材料、または、前記材料の積層品などの組み合わせのいずれか1つであることを特徴とする、請求項1から3のいずれか一項に記載の使い捨て吸収性物品(1)。
【請求項５】
前記キャリアは、スパンボンドおよび/またはメルトブローされた繊維の少なくとも2つ以上の層を備える不織材料を備えるかまたは前記不織材料から成ることを特徴とする、請求項4に記載の使い捨て吸収性物品(1)。
【請求項６】
前記層の前記繊維は1.5〜2.0ミクロンの直径を有することを特徴とする、請求項5に記載の使い捨て吸収性物品(1)。
【請求項７】
前記キャリア材料は50gsm〜150gsmの坪量を有することを特徴とする、請求項1から6のいずれか一項に記載の使い捨て吸収性物品(1)。
【請求項８】
前記吸収性物品(1)は少なくとも1つの留め付けタブ(10)を備え、
前記キャリア材料は、前記少なくとも1つの留め付けタブ(10)を構成する、または、前記少なくとも1つの留め付けタブ(10)の一部を形成することを特徴とする、請求項1から7のいずれか一項に記載の使い捨て吸収性物品(1)。
【請求項９】
前記QRコード(12)は、使用者から離れる方を向く最も外側の層に設けられることを特徴とする、請求項1から8のいずれか一項に記載の使い捨て吸収性物品(1)。
【請求項１０】
前記キャリア材料は、1センチメートルの材料の幅当たり100gの荷重の適用において測定されるとき、4%以下の伸度を有することを特徴とする、請求項1から9のいずれか一項に記載の使い捨て吸収性物品(1)。
【請求項１１】
前記キャリア材料は伸びることができないことを特徴とする、請求項1から10のいずれか一項に記載の使い捨て吸収性物品(1)。
【請求項１２】
前記キャリア材料は約80%から約100%の不透明度を有することを特徴とする、請求項1から11のいずれか一項に記載の使い捨て吸収性物品(1)。
【請求項１３】
前記使い捨て吸収性物品(1)は特異的な色を有する印刷を備え、
前記QRコード(12)は同じ特異的な色を有することを特徴とする、請求項1から12のいずれか一項に記載の使い捨て吸収性物品(1)。
【請求項１４】
前記使い捨て吸収性物品(1)には2つ以上のQRコードが設けられることを特徴とする、請求項1から13のいずれか一項に記載の使い捨て吸収性物品(1)。
【発明の詳細な説明】
【技術分野】
【０００１】
本発明は、QRコードが設けられた、おむつ、パンツ型おむつ、生理用パンツ、または失禁用衣服などの使い捨て吸収性物品に関する。
【背景技術】
【０００２】
本開示が関連する種類の吸収性物品は、皮膚に着用され、表面シートと、吸収性芯材と、裏面シート層とを備える。追加の材料の層が、外部カバーとして裏面シートの衣服を向く側にしばしば適用される。吸収性物品の外部カバーは、吸収性物品に柔らかい質感を与えるために、不織材料から形成され得る。外部カバーは、機械的な留め具のための付着ゾーンを形成してもよく、そのため、ループなどの機械的な留め具を受け入れる要素を含み得る。機械的な留め付け要素は、シャーシの前部分または後部分に取り付けられる留め付けタブにもしばしば設けられる。
【０００３】
吸収性物品の外部カバーは、吸収性物品の美的訴求力を改善するために、印刷された画像を含むこともある。このような美的訴求力を提供するための従来の手法は、画像を外部カバーの外側の衣服を向く面に印刷することを含んでいる。これは、優れた画像の解像度を通常は提供する。幼児用おむつでは、このような印刷した画像は、幼児が自分一人でパンツとして着用できるように、おむつをより下着のようにするかわいい動物や他の画像の形態であり得る。おむつには、おむつのブランド識別のための画像が設けられてもよい。このような画像は、裸眼で視認できるようにはっきりと区別可能な色および大きさで印刷される。
【発明の概要】
【発明が解決しようとする課題】
【０００４】
しかしながら、裸眼によってだけでなく、可読性の正確さに関するより高い要件で他の手段によっても読まれることになる画像を吸収性物品に提供したいという要求も存在し得る。このような物品について、画像の可読性を確保する必要性が存在することも分かっている。
【課題を解決するための手段】
【０００５】
上記の目的および他の目的は、請求項1による吸収性物品によって提供され得る。さらなる実施形態が、従属請求項、以下の記載、および図面に明記されている。
【０００６】
このようにして、本開示は、着用者の腰の周りに着用されるように意図された、おむつ、パンツ型おむつ、生理用パンツ、または失禁用衣服などの使い捨て吸収性物品に関する。吸収性物品は、前部分と、後部分と、それらの間の股部分とを有するシャーシを備える。吸収性物品は、シャーシの後部分および/または前部分に取り付けられる1つまたは複数の留め付けタブを任意選択でさらに備える。吸収性物品は、着用者を向く側と衣服を向く側とを有する。吸収性物品は、少なくとも股部分においてシャーシに固定された吸収性芯材をさらに備える。吸収性物品には、衣服を向く側において、前部分、後部分、および/または1つもしくは複数の留め付けタブのうちの少なくとも1つにおける、またはその上のキャリア材料にQRコードが設けられる。キャリア材料は、ガーレー剛性試験方法TAPPI T 543 om-05、Bending resistance of paper(ガーレー式試験装置)に従って測定されるとき、8ミリグラムの力(mgf)以上のガーレー剛性を有する。
【０００７】
耐屈曲性は、紙業界および不織業界においてよく知られている基準、すなわち、TAPPI T 543 om-05、Bending resistance of paper(ガーレー式試験装置)に従って測定される。垂れ下がった一片のシート材料が、振り子に取り付けられた羽根に押し当たり、振り子における撓みの大きさが耐屈曲性を指示する。結果はミリグラムの力またはガーレー単位で表される(2つの単位は同一である)。基準において提示された手順および計算に従って、異なる大きさの試料で試験を実施することが可能である。10個の試料が調査中に材料から切断され、それらのうちの5個は、おむつの長手方向において見たときの材料を表しており、5個は交差方向を表している。10個の試料からの平均が、この発明の文脈における耐屈曲性を作り上げる。すべての試験は、23℃で50%の相対湿度の実験室環境で行われた。
【０００８】
2つの平均(長手方向および交差方向)は別々に報告され、本開示の文脈において、両方の値は、規定されたガーレー剛性の値を満たさなければならない。キャリア材料のガーレー剛性を測定するとき、QRコードが設けられたキャリア材料は、QRコードを含め、試験方法による吸収性物品から切り落とされるべきであり、キャリア材料が積層品である場合、測定は積層品において実施されることになる。
【０００９】
QRコードが、ガーレー剛性試験装置によって測定されるとき、8mgf以上のガーレー剛性を有するキャリア材料に設けられるという事実は、QRコードの読み取りを相当に改善する。比較的大きい材料剛性は、QRコード読み取りの向上した反復性も提供し、長い時間にわたっての可読性を改善する。本開示による材料のガーレー剛性は、キャリア材料が、QRコードの可読性に悪影響を与え得る吸収性物品の使用から生じる皺などに対して耐性があることを提供する。
【００１０】
任意選択で、キャリア材料は、ガーレー剛性試験装置によって測定されるとき、10mgf以上のガーレー剛性を有する。キャリア材料は、12mgf〜1000mgfなど、10mgf〜500mgfなど、12mgf〜500mgfなど、10mgf〜1000mgfのガーレー剛性を有し得る。ガーレー剛性は200mgf以下または100mgf以下であってもよい。任意選択で、キャリア材料は、少なくともQRコードが設けられた領域にわたって、均一な剛性を有する。
【００１１】
QRコードは、就寝の前またはおむつを交換した後/前に親が子供のために読んであげることができる、就寝時のお話および/またはその日のお話を表示するためなど、オンラインプラットフォームにつながるスマートフォンを用いて読み取りを可能にするために、吸収性物品に設けられ得る。例えば、消費者は、QRコードの走査の後、幼児/子供の年齢を選択して、お話へとアクセスするランディングページへと案内されてもよい。幼児のおむつを交換することは、幼児にとっての不快感と、おむつを位置決めする間に幼児をじっとしたままにしようと奮闘することとに結び付けられ得る。幼児が代わりにおむつの交換をお話の時間と結びつければ、これは好意的な時間へと変わる可能性がある。また、これは、本を持って行くことを覚えておく必要なく、親に就寝時のお話および他のお話を常に持って行かせることができる。QRコードは、当然ながら、ロイヤルティプログラムのためなど、他の目的のために使用されてもよい。
【００１２】
任意選択で、QRコードは印刷されたQRコードである。印刷は、例えば、フレキソ印刷、グラビア印刷、またはエンボス加工印刷であり得る。
【００１３】
印刷されたQRコードは、QRコードが吸収性物品の一体化された部分であるという印象を与え、印刷は、吸収性物品にQRコードを提供するための容易な方法でもある。比較的硬い材料へのQRコードの印刷はQRコードの可読性を増加させることが、本発明者によって見出されている。柔軟すぎる材料へのQRコードの提供は、キャリア材料の折り目または望ましくない引き延ばしが起こり、QRコードの可読性と干渉する可能性があるため、可読性に悪影響を与えてしまう。
【００１４】
任意選択で、キャリア材料は、不織材料、編物材料、織物材料、膜材料、または、前記材料の積層品などの組み合わせのいずれか1つである。
【００１５】
キャリア材料が、吸収性物品において一般的に使用されている材料である不織材料、編物材料、織物材料、膜材料、または、前記材料の積層品などの組み合わせのいずれか1つであるという事実は、QRコードの機能性を追加する一方で、吸収性物品の外観および機能を保つ。
【００１６】
任意選択で、キャリアは不織材料を備えるかまたは不織材料から成る場合、その不織材料は、スパンボンドおよび/またはメルトブローされた繊維の少なくとも2つ以上の層を備える。このような不織材料は、使用者に適用されたときに吸収性物品の快適性と外観とを保つ一方で、比較的硬く滑らかなキャリア表面をQRコードに提供する能力のため、キャリア材料として有利であることが分かっている。
【００１７】
任意選択で、層のスパンボンドおよび/またはメルトブローされた繊維は1.5〜2.0ミクロンの直径を有し得る。キャリア材料の衣服を向く/印刷の側に提供されたスパンボンドおよび/またはメルトブローされた繊維がこのような細い直径を有するという事実は、キャリア材料表面が一様でない場合と比較して、キャリア材料表面の滑らかさを高めることができ、QRコードの可読性を高めることができる。
【００１８】
任意選択で、キャリア材料は50gsm〜150gsmの坪量を有する。
【００１９】
キャリア材料が少なくとも50gsmの坪量を有するという事実は、QRコードの可読性に悪影響を与える可能性のあるキャリア材料の折れおよび折り曲げの危険性を減少させる。それによって、少なくとも50の坪量は、着用者のある時間の使用および活動の後であっても、吸収性物品に設けられたQRコードの一貫した可読性を確保するのを助けることになる。
【００２０】
任意選択で、吸収性物品には、衣服を向く側に2つ以上のQRコードが設けられ、QRコードの各々は、前部分、後部分、および/または1つもしくは複数の留め付けタブのうちの少なくとも1つにおける1つまたは複数のキャリア材料に設けられる。任意選択で、吸収性物品には、衣服を向く側に3つ以上のQRコードが設けられ、QRコードの各々は、前部分、後部分、および/または1つもしくは複数の留め付けタブのうちの少なくとも1つにおける1つまたは複数のキャリア材料に設けられる。
【００２１】
任意選択で、吸収性物品は少なくとも1つの留め付けタブを備え、キャリア材料は、少なくとも1つの留め付けタブを構成する、または、少なくとも1つの留め付けタブの一部を形成する。吸収性物品は、シャーシの後部分または前部分のそれぞれの長手方向の側縁に直接的または間接的に取り付けられる少なくとも2つの留め付けタブを備え得る。任意選択で、留め付けタブには、各々の留め付けタブにおいて1つまたは複数のQRコードが設けられる。留め付けタブには、各々の留め付けタブにおいて3つ以上のQRコードなど、各々の留め付けタブにおいて2つ以上のQRコードが設けられてもよい。
【００２２】
本明細書では、「留め付けタブ」によって、吸収性物品において受入構成要素に留め付けられるように適合される留め付け構成要素を備える一片の材料が意味されている。留め付けタブは、シャーシの後部分または前部分の長手方向の側縁に直接的または間接的に取り付けられる正方形または長方形の一片の材料であり得る。留め付けタブは、シャーシの後部分または前部分の長手方向の側縁に直接的または間接的に取り付けられるより大きい成形された一片の材料を含んでもよい。このようなより大きい/成形された留め付けタブは、吸収性物品のための留め付け構成要素に加えて、側面パネルとして機能できる。留め付け構成要素は、例えば接着材またはフック材料など、吸収性物品のために従来から使用されている留め付け構成要素であり得る。
【００２３】
留め付けタブは、吸収性物品の柔らかい下着のような知覚を低下させることなく、より高い剛性を伴う材料を備え得る。留め付けタブは、使用者/幼児のお腹において、シャーシの前部分にしばしば取り付けられるため、使用中に吸収性物品のはっきりと視認可能な部品を構成もする。したがって、留め付けタブは、幼児と親との間での交流の間、世話をする人/親を通常は向く側に設けられる。これは、幼児をQRコードの走査に参加させることもでき、これは、ウェブサイトへのリンクにおいて現れるお話への興味を高めることができる。
【００２４】
したがって、QRコードが吸収性物品の留め付けタブに印刷されているという事実は、例えば裏面シート材料としてより硬い材料を含むことで、吸収性物品の快適性に影響することなく、硬い材料であり得る材料にQRコードを提供する。
【００２５】
任意選択で、QRコードは、使用者から離れる方を向いて重なり合う層のない最も外側の層に設けられる。これは、吸収性物品が幼児/子供などの着用者に身につけられた後の可読性を改善する。また、キャリア材料の上に設けられる薄い不織層などの外側のより薄い層が可読性に影響を有し得ることが分かっている。
【００２６】
任意選択で、QRコードは、10x10mmから60x60mmまでなど、10x10mmから30x30mmまでなど、少なくとも10x10mmの大きさを有する。これは、幼児のおむつなどの吸収性物品のための美的外観を維持する一方で、QRコードの適切な可読性を提供する。
【００２７】
任意選択で、キャリア材料は、1センチメートルの材料の幅当たり100gの荷重の適用において測定されるとき、4%以下の伸度を有する。キャリア材料の伸度は、長さ方向と幅方向との両方において4%以下であり得る。
【００２８】
本開示による材料の伸度は、ここでは、長さ寸法がおしめの交差方向に対応するように切断された材料片において測定される。2本の線が一片を横切って描かれることになり、それらの線の間の最初の長さが測定される。次に、一片の一端が固定された締め具に取り付けられることになり、一片の1センチメートルの幅当たり100グラムに対応する力が、第2の移動可能な締め具を介して加えられる。この応力が10秒間にわたって保持されることになり、次に、線の間の(伸ばされた)長さが測定されることになる。次に、百分率の伸長が、((伸ばされた長さ-最初の長さ)/最初の長さ)×100の式によって決定される。すべての試験は、23℃で50%の相対湿度の実験室環境で行われる。
【００２９】
キャリア材料が4%以下の伸度を有するという事実は、材料の望ましくない引き延ばしを防止し、延いては、QRコードの可読性の低下を防止する。材料の引き延ばしは、正方形とされたQRコードの格子における黒色/色付きの正方形のパターンが引き延ばしによって影響され得るため、QRコードの可読性を低下させる。
【００３０】
任意選択で、キャリア材料は伸びることができない。
【００３１】
任意選択で、QRコードは、前記キャリア材料に対して約10〜約90の色差を有する。キャリア材料に対するQRコードの色差は、標準的な白色からのQRコードの原色の色差(または色距離)の度合いを示している。これは可読性を高めることができる。シャーシの外側において吸収性物品に絵柄が設けられることと、QRコードが絵柄と同じ色または同じ「色系統」内で設けられることとが、望まれる可能性がある。
【００３２】
色差は、標準的な白色(L*=93.95、a*=0.26、b*=4.95)を有する白色標準プレートを用いて、CIE 1976 L*a*b*: CIE Publication 15.2 (1986)に従って測定される。測定は、10°(度)の観測角度において光源「D50(約5000Kの昼光および相関色温度に対応する)」を用いて実施されることになる。測定の前、測定されるQRコードの色で色付けされた10個のキャリア材料が、試料材料を形成するために積み上げられる。測定では、白色標準プレートが平坦なテーブルに配置される。試料材料(つまり、10個の積み上げられたシート)が平坦な状態で白色標準プレートに置かれる。試料材料は、45°の入射角で光源によって照らされる。試料材料から反射される反射光が、0°の受入角度で光検出器によって受け入れられる。反射光は光検出器によって検出される。検出された反射光は、比色計によって明度(L*1)、赤緑色度(a*1)、および黄青色度(b*1)へと変換される。試料のキャリア材料が標準的な白色表面で置き換えられた後、上記の測定が標準的な白色表面について実施される。光検出器による検出された反射光は、比色計によって明度(L*w)、赤緑色度(a*w)、および黄青色度(b*w)へと変換される。上記の過程が各々のキャリア材料について少なくとも5回繰り返され、平均値L*1、a*1、b*1、L*w、a*w、およびb*wが比色計によって計算および記録される。したがって、フォトデータ(L*1、a*1、b*1)および(L*w、a*w、b*w)の2つのセットが得られる。次に、全体の色差値(A*E)が、式ΔL*=L*1-L*w、Δa*=a*1-a*w、Δb*=b*1-b*w、およびΔE*=√((ΔL*)2+(Δa*)2+(Δb*)2によって得られる。これらのデータは比色計によって計算および記録される。
【００３３】
「色系統」によって、本明細書では、差があるが互いと同様である色の群が意味されている。色系統は、青色系統、赤色系統、桃色系統、橙色系統、黄色系統、および緑色系統を含む。色系統は、国際照明委員会(CIE)によって、つまり、CIE L*a*b色相角によって定められ得る。例えば、「青色系統」は、-40度から-145度までの範囲であるCIE L*a*b色相角として定められ、「桃色系統」は、-40度から20度までの範囲であるCIE L*a*b色相角として定められ、「橙色系統」は、20度から55度までの範囲であるCIE L*a*b色相角として定められ、「黄色系統」は、55度から110度までの範囲であるCIE L*a*b色相角として定められ、「緑色系統」は、110度から-145度までの範囲であるCIE L*a*b色相角として定められる。
【００３４】
「絵柄」によって、本明細書では、形、図、記号、またはキャラクタによって構成される模様が意味されている。
【００３５】
吸収性物品に絵柄が設けられ、QRコードが絵柄と同じ色または同じ「色系統」内で設けられるという事実は、QRコードがより目立たなくなり、吸収性物品の絵柄の一体化された部分となるため、吸収性物品に下着のような外観を与える。使い捨て吸収性物品は、特異的な色を有する印刷と、同じ特異的な色を有するQRコードとを備え得る。
【００３６】
任意選択で、キャリア材料は約80%から約100%の不透明度を有する。
【００３７】
キャリア材料の不透明度は透明性または透光性の度合いを示す。キャリア材料が0%の不透明度を有する場合、キャリア材料は完全に透明である。一方、キャリア材料が100%の不透明度を有する場合、キャリア材料は透明ではなく、つまり、光は材料を通じて伝えられない。キャリア材料の大きな不透明度は、キャリア材料が白色で色のない大きな不透明度の材料であるときなど、大きな不透明度の材料によってキャリア材料とQRコードとの間のコントラストが高められるため、QRコードの視認性および可読性を支援できる。
【００３８】
キャリア材料が留め付けタブである場合、または、キャリア材料が留め付けタブの一部を形成する場合、大きな不透明度は、吸収性物品が閉じられて留め付けられた形態にあるとき、下にある絵柄がQRコードの可読性を不明瞭にするのを防止するために、重要なものであり得る。
【００３９】
本発明は、非限定的な例を用いて、添付の図面を参照して、以後においてさらに説明されている。
【図面の簡単な説明】
【００４０】
【図１】QRコードが留め付けタブに設けられている本開示によるおむつの図である。
【図２】図1による留め付けタブの図である。
【発明を実施するための形態】
【００４１】
図面が概略的であることと、個々の構成要素が必ずしも一定の縮尺でないこととは、理解されるものである。図に示されているおむつおよび留め付けタブは、単に例として提供されており、本発明への限定として解釈されるべきではない。したがって、本発明の範囲は、添付の請求項の範囲のみによって決定される。
【００４２】
図1は、おむつの形態での吸収性物品1を、閉じた構成において示している。吸収性物品1は、前部分3と、後部分4と、それらの間の股部分5とを有するシャーシ2を備える。吸収性物品は、前腰縁7aと、後腰縁7bと、前腰縁7aおよび後腰縁7bから延びる第1および第2の長手方向側縁6a、6bとをさらに備える。吸収性物品は、股部分5において長手方向側縁6a、6bに沿って延びる脚弾性部9も備える。図1による吸収性物品1は、第1の長手方向側縁6aから延びる1つの留め付けタブ10と、第2の長手方向側縁6bから延びる1つの留め付けタブ10とをさらに備える。留め付けタブ10は、シャーシ2の後部分4に直接的に取り付けられている。留め付けタブ10は、大きく成形された非長方形のキャリア材料の形態であり、各々の留め付けタブ10は、シャーシ2の後部分4の長手方向側縁6a、6bに取り付けられた幅広区域13とより幅狭の留め付け区域14とを備える。留め付け区域14が、その着用者を向く側において留め付け手段を備える。留め付け手段は、例えば接着材またはフックであり得る。吸収性物品1は、シャーシ2の前部分3の外面に設けられた受入構成要素11をさらに備える。吸収性物品1には、留め付けタブ10の外面に配置された2つのQRコード12が設けられている。しかしながら、吸収性物品には、各々のキャリア材料において2つ、3つ、または4つのQRコードなど、各々のキャリア材料において2つ以上のQRコードが設けられてもよい。QRコードは、同一または異なるQRコードであり得る。留め付けタブ10は、ガーレー剛性試験装置およびTAPPI試験方法T 543 om-05、Bending resistance of paper(ガーレー式試験装置)によって測定されるとき、16mgfの剛性を有する不織材料から成る。
【００４３】
図2は、図1からの留め付けタブ10を示している。この図では、QRコード12は留め付けタブ10に印刷されているが、着用者を向く側において留め付け構成要素を備える領域から若干ずらされている。
【００４４】
以下に示されているTable 1(表1)は、ガーレー剛性試験装置によってTAPPI仕様書T 543 om-05に従って測定されたガーレー剛性に関する測定からの試験データを示している。試験では、測定が、Fibertexの55gsmのSSMMS不織布を備える本開示による留め付けタブにおいて実施され、12gsmのポリプロピレン不織布で積層された10gsmポリプロピレン/ポリエチレン膜を備える呼吸可能な裏面シート積層品と比較された。
【００４５】
異なる種類の材料の伸度に関する測定も行われ、留め付けタブ不織布を裏面シート積層品および弾性側パネルと比較した。伸度の測定は、おむつの横方向において材料を取り外し、切断し、1センチメートルの材料幅当たり100グラムの荷重を加えることで、実施された。弾性側パネルは、SCA Hygiene Products ABからの商業的に利用可能な「Libero Touch」から取られた。弾性側パネルは、2つの外側の被覆不織布(27gsmの各々が毛羽立てられたポリプロピレン繊維)に貼付された中間体(40gsmのスチレンブロック共重合体)で弾性膜を備える積層材料であった。
【００４６】
【表１】
2020533089.tif 000003
【００４７】
table 1(表1)に提示された測定によって示されているように、剛性における差が、留め付けタブと、幼児のおむつについての従来の裏面シート積層品に対応する裏面シート積層品との間において著しい。留め付けタブとして使用され、ガーレー剛性の要件を満たす不織布の伸度も、table 1(表1)の第3列に示されているように、非常に小さく3%である。
【００４８】
以下に示されているTable 2(表2)は、本開示による留め付けタブと、ポリプロピレン膜およびSMMS/SSMMS不織布(Fibertex Personal Care Sdn Bhd、spec. No. CT-MT-SPFB08)を備える13gsmの裏面シート積層品と、留め付けタブとについての可読性に関する測定からの試験データを示している。裏面シート積層品はポリエチレン膜と不織布とを備え、QRコードはポリエチレン膜に印刷されており、留め付けタブはSSMMS/SSMMS不織布を備える。QRコードはフレキソ印刷で印刷されており、使用されたインクは色P455、L: 70、a: -1.95、b: 12.00、最大ΔE: 4、および密度: 0.40-0.45であった。結果は、成功した読み取りについては0で指示されており、失敗した読み取りについては1で指示されている。試験は同じ条件の下で実施され、QRコードの走査は携帯電話Samsung Galaxy Note IIで実施された。
【００４９】
手順は、以下のステップから成る。
1)  印刷された側パネル/留め付けタブ不織布の1つの巻いたもの、または代替で、印刷された裏面シート積層品の1つの巻いたものを取り、141mmの幅および3750mmの試料長さを有する試料へと切断する。
2)  染み、折り曲げ、またはしわくちゃの跡がQRコードの印刷された領域にないことを確かめる。
3)  携帯装置を取り、携帯装置におけるWeChatアプリケーションを開く。検出ボタンをタップし、次にQRコード走査の選択肢を選択する。
4)  テーブルに携帯電話ホルダを設置する。
5)  携帯電話カメラが90mmの距離においてテーブルに向けて方向付けられるように携帯電話を携帯電話ホルダに置く。
6)  テーブルランプを携帯電話ホルダの隣に置き、ランプを点灯する。
7)  読み取り合格には0を使用し、読み取り失敗には1を使用する。
【００５０】
【表２】
2020533089.tif 000004
【００５１】
上記のtable 2(表2)に示されているように、印刷が吸収性物品の裏面シートに設けられているときと比較して、ガーレー剛性試験装置によって測定されるときに16gsmの剛性を有する留め付けタブにQRコードを印刷するとき、一貫した可読性が提供される。
【符号の説明】
【００５２】
1  吸収性物品
2  シャーシ
3  前部分
4  後部分
5  股部分
6a  第1の長手方向側縁
6b  第2の長手方向側縁
7a  前腰縁
7b  後腰縁
9  脚弾性部料
10  留め付けタブ
11  受入構成要素
12  QRコード
13  幅広区域
14  留め付け区域
【図１】
2020533089.tif 000005
【図２】
2020533089.tif 000006
【手続補正書】
【提出日】令和2年4月23日(2020.4.23)
【手続補正１】
【補正対象書類名】特許請求の範囲
【補正対象項目名】全文
【補正方法】変更
【補正の内容】
【特許請求の範囲】
【請求項１】
着用者の腰の周りに着用されるように意図された使い捨て吸収性物品(1)であって、
前記吸収性物品(1)は、前部分(3)と、後部分(4)と、前記前部分と前記後部分との間の股部分(5)とを有するシャーシ(2)を備え、
任意選択で、1つまたは複数の留め付けタブ(10)が前記シャーシ(2)の前記後部分(4)および/または前記前部分(3)に取り付けられ、
前記吸収性物品は、着用者を向く側と衣服を向く側とを有し、
前記物品は、少なくとも前記股部分(5)において前記シャーシ(2)に固定された吸収性芯材をさらに備え、
QRコードが、衣服を向く側と、前記前部分(3)、前記後部分(4)、および/または1つもしくは複数の前記留め付けタブ(10)のうちの少なくとも1つにおけるキャリア材料とに設けられ、
前記キャリア材料は、ガーレー剛性試験方法TAPPI T 543 om-05、Bending resistance of paper(ガーレー式試験装置)に従って測定されるとき、8mgf以上のガーレー剛性を有することを特徴とする吸収性物品(1)。
【請求項２】
前記キャリア材料は10mgf〜1000mgfのガーレー剛性を有することを特徴とする、請求項1に記載の使い捨て吸収性物品(1)。
【請求項３】
前記QRコード(12)は印刷されたQRコード(12)であることを特徴とする、請求項1または2に記載の使い捨て吸収性物品(1)。
【請求項４】
前記キャリア材料は、不織材料、編物材料、織物材料、膜材料、または、前記材料の組み合わせのいずれか1つであることを特徴とする、請求項1から3のいずれか一項に記載の使い捨て吸収性物品(1)。
【請求項５】
前記キャリアは、スパンボンドおよび/またはメルトブローされた繊維の少なくとも2つ以上の層を備える不織材料を備えるかまたは前記不織材料から成ることを特徴とする、請求項4に記載の使い捨て吸収性物品(1)。
【請求項６】
前記層の前記繊維は1.5〜2.0ミクロンの直径を有することを特徴とする、請求項5に記載の使い捨て吸収性物品(1)。
【請求項７】
前記キャリア材料は50gsm〜150gsmの坪量を有することを特徴とする、請求項1から6のいずれか一項に記載の使い捨て吸収性物品(1)。
【請求項８】
前記吸収性物品(1)は少なくとも1つの留め付けタブ(10)を備え、
前記キャリア材料は、前記少なくとも1つの留め付けタブ(10)を構成する、または、前記少なくとも1つの留め付けタブ(10)の一部を形成することを特徴とする、請求項1から7のいずれか一項に記載の使い捨て吸収性物品(1)。
【請求項９】
前記QRコード(12)は、使用者から離れる方を向く最も外側の層に設けられることを特徴とする、請求項1から8のいずれか一項に記載の使い捨て吸収性物品(1)。
【請求項１０】
前記キャリア材料は、1センチメートルの材料の幅当たり100gの荷重の適用において測定されるとき、4%以下の伸度を有することを特徴とする、請求項1から9のいずれか一項に記載の使い捨て吸収性物品(1)。
【請求項１１】
前記キャリア材料は伸びることができないことを特徴とする、請求項1から10のいずれか一項に記載の使い捨て吸収性物品(1)。
【請求項１２】
前記キャリア材料は80%から100%の不透明度を有することを特徴とする、請求項1から11のいずれか一項に記載の使い捨て吸収性物品(1)。
【請求項１３】
前記使い捨て吸収性物品(1)は特異的な色を有する印刷を備え、
前記QRコード(12)は同じ特異的な色を有することを特徴とする、請求項1から12のいずれか一項に記載の使い捨て吸収性物品(1)。
【請求項１４】
前記使い捨て吸収性物品(1)には2つ以上のQRコードが設けられることを特徴とする、請求項1から13のいずれか一項に記載の使い捨て吸収性物品(1)。
【国際調査報告】
2020533089.tif 000007
2020533089.tif 000008
2020533089.tif 000009
2020533089.tif 000010
2020533089.tif 000011